(57)【要約】【課題】  コードレス電話機の子機に家屋内に設置した各種の電子機器のリモコン機能を組み込み、電話回線を介して当該子機のリモコン機能を作動できるようにする。【解決手段】  親機１と無線で接続される少なくとも１つの子機２ａからなるコードレス電話機を備えたホームオートメーションシステム用コードレス電話機であって、子機２ａは、発光部５３と受光部５４を備え、特定の電子機器をリモコン制御するための光データが登録され、該特定の電子機器のリモコン制御機能を有し、親機および／または子機は特定の電話機の電話番号を登録する制御テーブル３０、５２を備え、制御テーブル３０、５２に登録された電話番号を持つ電話機から着信があった場合、子機は、リモコン制御機能を作動させ、発光部５３および／または受光部５４から特定の電子機器をリモコン制御する。【選択図】      図１
2006222890.tif 000002
【特許請求の範囲】
【請求項１】
親機と無線で接続される少なくとも１つの子機からなるコードレス電話機を備えたホームオートメーションシステム用コードレス電話機であって、
前記子機は、発光部と受光部を備え、特定の電子機器をリモコン制御するための光データが登録され、該特定の電子機器のリモコン制御機能を有し、
前記親機および／または子機は特定の電話機の電話番号を登録する制御テーブルを備え、
前記制御テーブルに登録された電話番号を持つ電話機から着信があった場合、前記子機は、リモコン制御機能を作動させ、発光部および／または受光部から前記特定の電子機器をリモコン制御することを特徴とするホームオートメーションシステム用コードレス電話機。
【請求項２】
前記コードレス電話機は複数の子機を備え、前記親機の制御テーブルには、特定の電話機の電話番号と暗証番号と前記暗証番号に対応する子機番号および該子機に対応する電子機器のリモコン機能が登録され、前記親機の制御テーブルに登録された電話番号を持つ電話機から着信があった場合、該電話機から送信される暗証番号に基づいて、対応する子機を選択し、選択された子機のリモコン制御機能を作動させることを特徴とする請求項１に記載のホームオートメーションシステム用コードレス電話機。
【請求項３】
前記コードレス電話機は複数の子機を備え、前記親機の制御テーブルには、特定の電話機の電話番号と暗証番号と前記暗証番号に対応する子機番号が登録され、前記親機の制御テーブルに登録された電話番号を持つ電話機から着信があった場合、該電話機から送信される暗証番号に基づいて、対応する子機を選択し、選択された子機のリモコン制御機能を作動させることを特徴とする請求項１に記載のホームオートメーションシステム用コードレス電話機。
【請求項４】
前記コードレス電話機は複数の子機を備え、前記親機の制御テーブルには、特定の電話機の電話番号と前記電話番号に対応する子機番号が登録され、前記各子機のそれぞれの制御テーブルには、当該子機に対応する特定の電子機器のリモコン機能が登録され、
前記親機の制御テーブルに登録された電話番号を持つ電話機から着信があった場合、前記親機は、親機の制御テーブルに基づいて対応する子機を選択し、選択された子機のリモコン制御機能を作動させることを特徴とする請求項１に記載のホームオートメーションシステム用コードレス電話機。
【請求項５】
前記コードレス電話機は複数の子機を備え、前記各子機のそれぞれの制御テーブルには、特定の電話機の電話番号と、当該子機に対応する特定の電子機器のリモコン機能が登録され、
前記親機は、電話機からの着信があった場合、前記複数の子機を一斉に呼び出し、
前記複数の子機は当該子機の制御テーブルに登録された電話番号を持つ電話機から着信があった場合、該制御テーブルに基づいてリモコン制御機能を作動させることを特徴とする請求項１に記載のホームオートメーションシステム用コードレス電話機。
【発明の詳細な説明】
【技術分野】
【０００１】
本発明は、外出先から携帯電話などを使用して屋内の電子機器を制御するホームオートメーションシステムに関するものであり、特に、コードレス電話機の子機を用いて予め子機に設定した電子機器の制御を、外出先から携帯電話などの電話機を用いて作動させるようにしたホームオートメーションシステム用コードレス電話機に関するものである。
【背景技術】
【０００２】
近年、多くの家屋にはマイクロコンピーュタ制御の各種電子機器が設置されるようになってきている。このようなマイクロコンピーュタ制御の各種電子機器としては、例えば、エアコンなどの冷暖房機器、テレビ受像機、浴室などの自動給湯機器、自動温水機器、ソーラ機器などがある。通常これらの各機器にはそれぞれリモートコントロールのための制御ユニットであるいわゆるリモコン制御装置や操作パネルが付属しており、ユーザは各リモコン制御装置や操作パネルを使用してそれぞれの機器の運転操作を行うようにされている。
【０００３】
しかしながら、家屋内に設置された上記のような各種電子機器を操作するためには、それぞれのリモコン制御装置や操作パネルをその都度操作する必要があり、そのような操作が煩わしいという不具合を感じているユーザも少なくない。特に、リモコン制御装置は手のひらに乗るような小さなサイズであるため、置き場所を忘れてしまい部屋のなかを探してまわるといったことは多くのユーザが経験するところでもある。
【０００４】
また、外出先から家庭内に設置した各種の電子機器の操作を制御したいという要求を持つユーザも少なくない。例えば、勤務先を出る時に、自宅の自動給湯器や冷暖房機器の運転を開始させておけば、帰宅した時には部屋の冷暖房が設定どおりに運転されていたり、直ぐに入浴できる状態にてっていたり利便性が増す。このように家屋内の電子機器を外出先など遠隔操作するシステムとしてホームオートメーションシステムが提案されている。
【０００５】
例えば、下記の特許文献１（特開平７−３０６７４号公報）には、屋内に設置した各種の電子機器を集中制御する遠隔制御装置を設置し、電話回線を用いて外部の電話機から遠隔制御装置を操作するようにした技術が開示されている。この特許文献1に開示された遠隔制御装置は、ホームオートメーションの遠隔制御において、従来の制御方法である音声による状態確認等の作業の繁雑さを解決し、複数の機器を短時間で正確に制御することを目的としたものである。この遠隔制御装置は、ホームオートメーションによって制御される各機器の状態を示すデータを受信する機器状態データ受信部と、各機器への制御コマンドを送信する制御コマンド発信部と、前記データを表示する表示部と、前記コマンドを入力する制御コマンド入力部より構成され、外出先の電話機からその起動を制御するようにしたものである。
【０００６】
また、家屋内に設置された各種の電子機器のリモコン装置の管理、操作の煩雑さを解消する技術として、例えば、下記の特許文献２（特開平５−３２７９２２号公報）には、家屋内に設置されたコードレス電話機に家屋内に設置された各種電子機器のリモート制御機能を組み込み、コードレス電話機を用いて家屋内に設置され各種の電子機器を制御するようにしたコードレス電話機が開示されている。
【０００７】
上記特許文献２に開示されたコードレス電話機は、入力部よりリモコン操作したい項目を入力し、入力されたデータは識別部で識別され該当するコードデータを記憶部より読み出し、第１発光部にて赤外線信号に変換し送出する。第２受光部は赤外線信号を受信しデジタル信号に変換し、ホームバスコントロールユニットはこの受信信号に該当する操作項目を機器に指令する。機器は指令に基づき動作を実行すると実行完了の信号を返送する。第２発光部はこの信号を赤外線信号として送出し、第１受光部は赤外線信号を受信し、データに対応する音声合成データメモリ部の音声合成データを取り出し音声合成部で音声合成し、音声出力部は音声信号として出力するように構成されている。
【特許文献１】特開平７−３０６７４号公報（図１、図３、段落［０００８］〜［０００９］）
【特許文献２】特開平５−３２７９２２号公報（図１、段落［０００７］、［０００８］）
【発明の開示】
【発明が解決しようとする課題】
【０００８】
しかしながら、上記特許文献１に開示されたホームオートメーションシステムにおいては、家屋内に設置された各種の電子機器を集中制御するための遠隔制御装置を設置する必要があるため、一般家庭では設置コストが高価になるという問題点があった。
【０００９】
また、上記特許文献２に開示されたコードレス電話機においては、家屋内に設置された各種の電子機器のリモコン機能を当該コードレス電話機に組み込むため、別の遠隔制御装置を設置する必要がなく、コードレス電話機を用いて各種の電子機器を集中制御することができ、ユーザはコードレス電話機だけで各種電子機器のリモート操作が行えるようになる。しかしながら、特許文献２に開示されたコードレス電話機による電子機器制御においては、外出先からコードレス電話機のリモコン機能を制御する技術は開示されておらず、外出先から屋内に設置された各種電子機器を制御することができないという問題点があった。
【００１０】
本願の発明者は、上記の問題点を解消すべく種々検討を重ねた結果、コードレス電話機の子機に電子機器のリモコン機能を対応づけ、電話回線を介して特定の電話機から、特定の子機に対して着信があった場合に当該着信があった子機のリモコン機能が作動するようになせば、上記の問題点を解消しできることに想到し、本発明を完成するに至ったものである。
【００１１】
すなわち、本発明は上記の問題点を解消することを課題とし、コードレス電話機の子機に家屋内に設置した各種の電子機器のリモコン機能を組み込み、電話回線を介して当該子機のリモコン機能を作動することきができるホームオートメーションシステム用コードレス電話機を提供することを目的とする。
【課題を解決するための手段】
【００１２】
前記課題を解決するために、本願の請求項１にかかる発明は、親機と無線で接続される少なくとも１つの子機からなるコードレス電話機を備えたホームオートメーションシステム用コードレス電話機であって、
前記子機は、発光部と受光部を備え、特定の電子機器をリモコン制御するための光データが登録され、該特定の電子機器のリモコン制御機能を有し、
前記親機および／または子機は特定の電話機の電話番号を登録する制御テーブルを備え、
前記制御テーブルに登録された電話番号を持つ電話機から着信があった場合、前記子機は、リモコン制御機能を作動させ、発光部および／または受光部から前記特定の電子機器をリモコン制御することを特徴とする。
【００１３】
また、本願の請求項２にかかる発明は、請求項１にかかるコードレス電話機において、前記コードレス電話機は複数の子機を備え、前記親機の制御テーブルには、特定の電話機の電話番号と暗証番号と前記暗証番号に対応する子機番号および該子機に対応する電子機器のリモコン機能が登録され、前記親機の制御テーブルに登録された電話番号を持つ電話機から着信があった場合、該電話機から送信される暗証番号に基づいて、対応する子機を選択し、選択された子機のリモコン制御機能を作動させることを特徴とする。
【００１４】
また、本願の請求項３にかかる発明は、請求項１にかかるコードレス電話機において、前記コードレス電話機は複数の子機を備え、前記親機の制御テーブルには、特定の電話機の電話番号と暗証番号と前記暗証番号に対応する子機番号が登録され、前記親機の制御テーブルに登録された電話番号を持つ電話機から着信があった場合、該電話機から送信される暗証番号に基づいて、対応する子機を選択し、選択された子機のリモコン制御機能を作動させることを特徴とする。
【００１５】
また、本願の請求項４にかかる発明は、請求項１にかかるコードレス電話機において、前記コードレス電話機は複数の子機を備え、前記親機の制御テーブルには、特定の電話機の電話番号と前記電話番号に対応する子機番号が登録され、前記各子機のそれぞれの制御テーブルには、当該子機に対応する特定の電子機器のリモコン機能が登録され、
前記親機の制御テーブルに登録された電話番号を持つ電話機から着信があった場合、前記親機は、親機の制御テーブルに基づいて対応する子機を選択し、選択された子機のリモコン制御機能を作動させることを特徴とする。
【００１６】
また、本願の請求項５にかかる発明は、請求項１にかかるコードレス電話機において、前記コードレス電話機は複数の子機を備え、前記各子機のそれぞれの制御テーブルには、特定の電話機の電話番号と、当該子機に対応する特定の電子機器のリモコン機能が登録され、
前記親機は、電話機からの着信があった場合、前記複数の子機を一斉に呼び出し、
前記複数の子機は当該子機の制御テーブルに登録された電話番号を持つ電話機から着信があった場合、該制御テーブルに基づいてリモコン制御機能を作動させることを特徴とする。
【発明の効果】
【００１７】
請求項１にかかる発明においては、コードレス電話機の子機は、発光部と受光部を備え、特定の電子機器をリモコン制御するための光データが登録され、該特定の電子機器のリモコン制御機能を有し、前記親機および／または子機は特定の電話機の電話番号を登録する制御テーブルを備え、前記制御テーブルに登録された電話番号を持つ電話機から着信があった場合、前記子機は、リモコン制御機能を作動させ、発光部および／または受光部から前記特定の電子機器をリモコン制御する。
【００１８】
従って、家屋内にホームオートメーションシステムのための集中制御を行う制御ユニットを設置することなく、ユーザはコードレス電話機に登録した特定の電話番号を有する電話機からコードレス電話機に電話をかけるだけで、子機に設定した電子機器をリモコン制御することができるようになる。
【００１９】
請求項２ないし請求項５にかかる発明においては、コードレス電話機の複数の子機にそれぞれ特定の電子機器のリモコン制御機能を設定し、親機および／または子機は特定の電話機の電話番号を登録する制御テーブルを備え、前記制御テーブルに登録された電話番号を持つ電話機から着信があった場合、該当する子機が選択され、該子機に設定したリモコン制御機能を作動させ、発光部および／または受光部から前記特定の電子機器をリモコン制御する。
【００２０】
従って、家屋内にホームオートメーションシステムのための集中制御を行う制御ユニットを設置することなく、コードレス電話機に登録した特定の電話番号を有する電話機からコードレス電話機に電話をかけるだけで、１つの子機を呼び出し、当該子機に設定した電子機器をリモコン制御することができるようになる。例えば、ユーザはコードレス電話機への電話番号登録により、ユーザの携帯電話から子機の１つを動作させ、勤務先の携帯電話や固定電話から他の固定電話を動作させ、それぞれ所望の電子機器のリモコン制御を行うことができるようになる。
【発明を実施するための最良の形態】
【００２１】
以下、本発明の具体例を実施例及び図面を用いて詳細に説明する。図１は、本発明の実施例にかかるコードレス電話機を用いたホームオートメーションシステムの構成を示すシステム構成図である。図２は、図１のホームオートメーションシステムにおけるコードレス電話機の外観を示す図である。図３は、図１のホームオートメーションシステムにおけるコードレス電話機（親機）１の要部構成を示すブロック図である。図４は、本発明の実施例１にかかる親機１の制御テーブルのデータ構成を示す図である。図５は、本発明の実施例にかかる子機１（図１の２ａ）ないし子機３（図１の２ｃ）の要部構成を示すブロック図である。図６は、子機にリモコン機能を設定する動作手順を示すフローチャートである。図７は、本発明の実施例１かかるコードレス電話機を用いたホームオートメーションシステムの動作手順を示すフローチャートである。図８は、本発明にかかるコードレス電話機を用いたホームオートメーションシステムの具体的な設置例を示す図である。図９は、本発明の実施例２にかかるコードレス電話機を用いたホームオートメーションシステムを説明するための制御テーブルのデータ構成を示す図である。図１０は、本発明の実施例３にかかるコードレス電話機を用いたホームオートメーションシステムを説明するための制御テーブルのデータ構成を示す図である。図１１は、本発明の実施例４にかかるコードレス電話機を用いたホームオートメーションシステムを説明するための制御テーブルのデータ構成を示す図である。
【実施例１】
【００２２】
本発明の実施例１にかかるコードレス電話機を用いたホームオートメーションシステムは、携帯電話４や図示しない固定電話と公衆電話回線網３を介して接続されるコードレス電話機（親機）１と、コードレス電話機（親機）１（以下、単に親機１と称する）と無線を介して接続される１または複数のコードレス電話機の子機２ａ（子機１）ないし子機２ｃ（子機３）とを備えて構成されている。以下の説明において、子機２ａないし子機２ｃを単に子機１ないし子機３と称する。
【００２３】
子機１ないし子機３は、後述するように、それぞれ赤外線の発光部と受光部とを備え、家屋内に設置された各電子機器のリモコン信号の受発光を行うことができ、例えば、子機１はエアコン５のリモコン装置として機能が設定され、子機２は浴室の給湯、暖房などの制御パネルのリモコン装置としての機能が設定され、子機３はテレビ／ビデオ機器のリモコン装置としての機能が設定されている。各子機１〜子機３のリモコン機能の設定は、例えば、各電子機器に付属したリモコン装置を一度操作し、この操作過程でリモコン装置と電子機器との間で送受信される信号を、リモコン機能を設定したい子機にモニターさせて簡単に設定することができるようにしている。
【００２４】
コードレス電話機の親機１には、後述するように、子機１ないし子機３に設定したリモコン機能を操作するために公衆電話回線網３を介して携帯電話４などから着信する外線信号を処理して各子機１なしい子機３を作動させるための制御機能が設定されており、特定の電話機（発呼電話機の電話番号）からの着信を検出して特定の子機１ないし子機３を選択的に作動させて子機１ないし子機３に設定されたリモコン機能を用いて対応する電子機器のリモコン制御を行うように構成されている。図２は、図１のホームオートメーションシステムにおけるコードレス電話機の外観を示す図であり、例えば、子機１（子機２ａ）、子機２（子機２ｂ）を１階に設置してエアコンと浴室のリモコン装置として外部から携帯電話４により操作し、子機３（子機２ｃ）を２階に設置しテレビ／ビデオのリモコン装置として外部から携帯電話４により操作するように構成することができる。
【００２５】
図３は、図１のホームオートメーションシステムにおけるコードレス電話機（親機）１の要部構成を示すブロック図である。図３において、１１は着信検出回路で、電話回線Ｌに接続され、着信信号をパルス信号に波形整形して出力するものである。１２は発呼者番号検出回路であり、電話局より電話回線を介して発呼者の電話番号（発呼者番号）を検出する。検出する電話番号は市外局番と市内局番と加入者番号からなり、必ず市外局番を含んでいる。１３はネットワーク回路であり、電話回線に接続され回線の解放・閉結を行う。１４は発呼時のダイヤル発信回路である。
【００２６】
１５はハンドセットであり、スピーカ１６とマイクロホン１７を有している。１８は受信回路であり、アンテナ１９を介して子機２からの信号を受信する。２０は送信回路であり、ネットワーク回路１４の出力信号をアンテナ１９を介して子機２へ発信する。２１はＰＬＬ回路であり、受信回路１８と送信回路２０の送受信周波数を変える。２２は切替回路であり、ネットワーク回路１３への接続をハンドセット１５側あるいは受信回路１８／送信回路２０側に切替える。
【００２７】
２３はマイクロプロセッサからなる制御回路であり、各部動作を制御するプログラムを記憶したＲＯＭ２４に基づき各部を制御する。尚、ＲＯＭ２４には、制御回路２３が通話時間の計時、通話料金の算出を行えるプログラムも書き込まれている。２５はＲＡＭであり、制御回路２３の動作に必要な情報を記憶する。２６はベルであり、着信時に呼出音を出力する。２７は緑色と赤色のバックライトを切り替え可能な液晶の表示手段であり、電話番号等を表示する。２８は入力手段であり、電話番号入力を行うテンキー２８１及び通話時間、通話料金の表示をするか否かを選択する選択キー２８２を有する。２９はハンドセット１５のオンフック、オフフックを検出するスイッチである。
【００２８】
３０は制御テーブルであり、リモコン機能が設定された子機１ないし子機３に対して公衆電話回線網３を介して特定の電話番号を有する電話機から着信があった場合に、対応する子機にリモコン機能を作動させるための制御信号を送信するためのテーブルである。本実施例においては、例えば、本実施例１において、親機１の制御テーブルは、図４に示すように発呼側電話番号と暗証番号と対応子機およびリモコン制御機能を対応付けした制御テーブルである。すなわち、図４の制御テーブルに示すように、親機１は公衆電話回線網３を介して特定の電話機から、暗証番号を伴う着信があった場合に、発呼側電話番号と暗証番号に応じて対応する子機１ないし子機３を選択して暗証番号で対応づけられたリモコン制御のための制御信号を子機１ないし子機３に送信し、子機１ないし子機３をリモコン装置として作動させる。
【００２９】
例えば、図４において電話番号が０９０−０００１−１２３４の電話から暗証番号「１２３４」を伴う着信があった場合、親機１は、子機１を選択し、エアコンの電源をオンする制御信号を子機１に送信する。親機１から制御信号を受信した子機１は、後述するようにエアコン５に対して後述する発光部から電源をオンするための送信を行う。従ってユーザは外出先などから特定の電子機器をリモコン操作する場合には、自分が所有する携帯電話などの電話番号と暗証番号とそれにより作動させる子機の情報を予め親機１の制御テーブル３０に登録しておく。
【００３０】
図５は、子機１（図１の２ａ）の要部構成を示すブロック図である。子機２（図１の２ｂ）、子機３（図１の２ｃ）も図５と同様の構成を有している。図５において、３１は受信回路であり、アンテナ３２を介して親機１からの信号を受信する。３３は送信回路であり、入力信号を、アンテナ３２を介して親機１へ発信する。３４はＰＬＬ回路であり、受信回路３１と送信回路３３の送受信周波数を変える。３５はスピーカであり、増幅回路３６で増幅された受信回路３１の電気信号を音声に変換する。３７はマイクロホンであり、音声を電気信号に変換する。３８は増幅回路であり、マイクロホン３７の出力を増幅して送信回路３３に出力する。
【００３１】
３９はマイクロプロセッサからなる制御回路であり、各部動作を制御するプログラムを記憶したＲＯＭ４０に基づき各部を制御する。４１はＲＡＭであり、制御回路３９の動作に必要な情報を記憶する。４２はベルであり、着信時に呼出音を出力する。４３は緑色と赤色のバックライトを切替え可能な液晶の表示手段であり、電話番号、通話時間、通話料金等を表示する。４４は入力手段であり、通話を開始するための通話キー４４１、通話を終了するための切キー４４２、ダイヤル番号を入力するためのテンキー４４３を有する。また、表示手段４３には、親機１の録音手段３０に記録された用件メッセージの有無、その再生の有無が後述のような処理手順で表示される。この処理手順は、制御回路３９に蓄積されたプログラム制御により実行される。
【００３２】
子機２ａは、発光部５３と受光部５４を備えており、設定された電子機器へのリモコン制御のための信号を送受信するように構成されている。子機２ａへのリモコン機能の設定は、先に説明したように、電子機器に付属したリモコン装置を一度操作し、この操作過程でリモコン装置と電子機器との間で送受信される信号を、リモコン機能を設定したい子機にモニターさせて簡単に設定するようになっている。
【００３３】
例えば、図６のフローチャートにあるように、電子機器に付属したリモコン装置を作動させ、ステップＳ１０の処理において制御回路３９はリモコン装置と電子機器の間の光を受光部５４で受光し、ステップＳ１１の処理において受光した光のデータをＲＡＭ４１などのメモリに記憶する。受光できなかった場合は、ステップＳ１４の処理において中止操作があるかを判定し、中止操作がなければ、ステップＳ１０の処理に戻り、中止操作があれば処理を終了する。次いで、制御回路３９はユーザからの電話番号（ユーザがリモコン機能を作動させる電話機の電話番号）の入力があるか、ステップＳ１２の処理において判断する。電話番号入力があれば、ステップ１３の処理において、光データと電話番号の対応をＲＡＭ４１などのメモリに記憶する。この対応関係を親機１に設定する必要があれば、親機１にその内容を送信する。ステップＳ１２で電話番号の入力がなければ、ステップＳ１５の処理において中止操作があるかを判定し、中止操作がなければ、ステップＳ１２の処理に戻り、中止操作があれば処理を終了する。もちろんこの設定は、図６のような処理によらず、上記特許文献２に開示されたコードレス電話機のように親機１の入力手段２８から所定の入力をすることにより設定するように構成してもよい。
【００３４】
本実施例にかかるホームオートメーションシステムは、以上のように構成されたものであり、ユーザは、特定の電子機器をリモコン制御したい場合、親機１の制御テーブル３０に登録設定した電話機から親機１に発呼し、暗証番号をメッセージとして送信する。親機１は公衆電話回線網３から着信があると、まず発呼側の電話番号データを受信し、そのデータを一時記憶する。次に親機１は回線を自動接続し、発呼側に暗証番号の入力を促すメッセージを送信する。発呼側が暗証番号を入力すると、親機１は発呼側が入力した暗証番号を受信し、制御テーブル３０に登録設定された暗証番号との一致をみる。制御テーブル３０に設定登録された暗証番号と一致すれば、親機１は対応する子機１ないし子機３に制御信号を送出する。制御信号を受信した子機１ないし子機３は、対応する電子機器に対してリモコン制御信号を送信する。
【００３５】
図７に示すフローチャートを参照して本発明の実施例１にかかるコードレス電話機の動作手順について更に説明する。ステップＳ２０の処理において、親機１は公衆電話回線網３から着信があるとステップＳ２１の処理において回線を接続する。着信がなければステップＳ２０の処理を繰り返す。次いで、親機１の制御回路２３は、発呼側電話機の電話番号が制御テーブル（図４参照）に登録された電話番号かを判定する。登録された電話番号でなければ、通常の通話の着信でありステップＳ２６の処理に進み呼び出し音を鳴動させ、ステップＳ２７の処理において通話接続を行い、ステップＳ２８の処理において通話が終了すると回線を切断して処理を終了する。
【００３６】
一方、ステップＳ２２の処理において制御テーブルに登録された電話番号である場合は、制御回路２３は、ステップＳ２３の処理において発呼側に暗証番号の入力を求めるメッセージを送信し、ステップＳ２４の処理において発呼側から暗証番号を受信すると、ステップＳ２５の処理において、図４の制御テーブルを参照して、登録電話番号、暗証番号と対応する子機にリモコン機能の作動指示信号を送信する。動作指示を受けた子機は、発光部５３から電子機器に対して設定されたリモコン制御のための光信号を送信し、該当する電子機器を制御する。
【００３７】
図８は、本発明にかかるコードレス電話機を用いたホームオートメーションシステムの具体的な設置例を示す図であり、家屋の１階にエアコン５が、２階にビデオデッキ７が設置され、子機１（２ａ）にエアコン５のリモコン機能を設定し、子機３（２ｃ）にビデオデッキのリモコン機能を設定し、制御テーブルが図４に示す内容に設定されている。このように構成すれば、ユーザが自分の携帯電話から親機に発呼し、登録した暗証番号を入力すれば、子機１を使用してエアコンの電源をオン・オフ制御することができる。また、ユーザが会社のデスクの電話機から親機に発呼し、登録した暗証番号を入力すれば、子機３を使用してビデオデッキの電源をオン・オフ制御することができる。
【実施例２】
【００３８】
図９は、本発明の実施例２にかかるホームオートメーションシステムを説明するための制御テーブルのデータ構成を示す図である。実施例２のホームオートメーションシステムにおける機器構成は、実施例１における機器構成と同様である。実施例１においては親機１の制御テーブルに制御のためのデータ（発呼側電話番号、暗証番号、対応子機／リモコン制御機能）全てを記録したものであるが、実施例２においては、図９に示すように親機１の制御テーブルには発呼側電話番号と暗証番号と対応子機のデータを記憶し、各子機２ａないし２ｃの制御テーブルに該当子機が対応する電子機器、例えば、図９においては、子機１にエアコン、子機２に浴室、子機３にテレビ／ビデオのリモコン制御機能を設定したものである。
【００３９】
この実施例２においては、実施例１の手順と異なり、親機１は、暗証番号を受信すると、回線を一旦切り離した後に、発呼側電話番号及び暗証番号に対応する子機を呼び出す。この場合、親機１から子機へは、通常の通話呼び出しとは異なるリモコン機能作動のための無線信号を送信することにより、子機が通常の通話着信に対してリモコン機能を作動させないようにする。子機側は、リモコン機能作動のための無線信号を受信すると子機側に記憶されているリモコン機能を作動し、対応する電子機器の制御を行う。なお、親機１から子機に送信するリモコン機能作動のための無線信号は、制御チャンネル上で親機１から子機に対してリモコン機能作動のための無線信号を１回送信すればよい。
【００４０】
このように構成すれば、実施例１と同様に、ユーザが自分の携帯電話から親機に発呼し、登録した暗証番号を入力すれば、子機１を使用してエアコンの電源をオン・オフ制御し、または、子機２を使用して浴室の制御をすることができる。また、ユーザが会社のデスクの電話機から親機に発呼し、登録した暗証番号を入力すれば、子機３を使用してエアコンの電源をオン・オフ制御することができる。
【実施例３】
【００４１】
図１０は、本発明の実施例３にかかるホームオートメーションシステムを説明するための制御テーブルのデータ構成を示す図である。実施例３のホームオートメーションシステムにおける機器構成は、実施例１における機器構成と同様である。実施例１、実施例２においては、子機の選択のため暗証番号を制御テーブルに登録設定したものであるが、実施例３においては、図１０に示すように親機１の制御テーブルには発呼側電話番号と対応子機のデータを記憶し、各子機２ａないし２ｃの制御テーブルに該当子機が対応する電子機器、例えば、図１０においては、子機１にエアコン、子機２に浴室、子機３にテレビ／ビデオのリモコン制御機能を設定したものである。
【００４２】
すなわち、実施例３は、通常のコードレス電話機が持つ子機に一斉呼び出しと個別呼び出しの機能のうち個別呼び出し機能を利用したものである。例えば、通常のコードレス電話では、子機を一斉に呼び出すことも、特定の子機を呼び出すこともできる。この機能を外線からの着信に応用したものである。従って、図１０に示すように親機１の制御テーブルに、電話番号（発呼側の電話番号）と子機（子機１〜３）の対応を設定している。その対応付けは、例えば、発呼側のユーザの携帯電話の番号に子機１、会社の携帯電話の番号に子機２、会社のデスクの電話番号に子機３をそれぞれ対応付けている。
【００４３】
各子機１〜子機３側には、それぞれ実施例１と同様にして対応する電子機器のリモコン機能が設定されている。図１０においては、子機１にエアコン、子機２に浴室、子機３にテレビ／ビデオのリモコン制御機能を設定してある。例えば、ユーザの携帯電話からの着信があると子機１のみを呼び出し、会社の携帯電話からの着信があると子機２のみを呼び出すことができる。呼び出された子機側（例えば子機１）は、呼び出しを受けるとエアコンをオンする。
【００４４】
すなわち、実施例３において、親機１は着信を検出すると、発呼側の電話番号を識別し、親機１の制御テーブルに登録した電話番号と一致するかを判定し、対応する子機を呼び出す。親機１から子機への呼び出しは、実施例２と同様に、通常の通話呼び出しとは異なるリモコン機能作動のための無線信号を送信してもよいし、通常の着信における特定子機の呼び出しのための無線信号を送信してもよい。子機側は呼び出し信号を受信すると子機側に設定したリモコン機能を作動させる。
【００４５】
このように構成すると、ユーザが自分の携帯電話から親機１に発呼すれば、子機１を使用してエアコンの電源をオン・オフ制御することができ、また、会社の携帯電話から親機１に発呼すれば、子機２を使用して浴室の制御をすることができる。また、ユーザが会社のデスクの電話機から親機１に発呼すれば、子機３を使用してエアコンの電源をオン・オフ制御することができる。
【実施例４】
【００４６】
図１１は、本発明の実施例４にかかるホームオートメーションシステムを説明するための制御テーブルのデータ構成を示す図である。実施例４のホームオートメーションシステムにおける機器構成は、実施例１における機器構成と同様である。実施例３においては、親機１から特定の子機を呼び出す機能を使用したが、実施例４においては親機１から複数の子機を一斉に呼び出す一斉呼び出し機能を用いている。
【００４７】
すなわち、親機１には制御テーブルを持たず、図１１に示すように各子機１〜３の制御テーブルに電話番号（発呼側の電話番号）と、それぞれの子機に設定した電子機器のリモコン機能を設定したものである。発呼側のユーザの携帯電話の番号を子機１の制御テーブルに、会社の携帯電話の番号を子機２の制御テーブルに、会社のデスクの電話番号を子機３の制御テーブルに登録設定、各子機にそれぞれ各電子機器のリモコン制御機能を設定している。すなわち、子機１にはエアコンを、子機２には浴室を、子機３にはテレビ／ビデオを対応付けている。
【００４８】
実施例４において、親機１は着信があると子機を一斉呼出します。この場合、子機側が発呼側の電話番号を検出して、検出した電話番号と一致する電話番号がメモリに格納されていれば、メモリに格納されている電話番号に対応する電子機器のリモコン機能を作動させる。すなわち、親機１側は、着信を検出すると、各子機を一斉に呼び出す。子機側は親機１を介して発呼側の電話番号データを受信し、各子機の制御テーブルに登録設定されている電話番号と一致するかを判定し、一致している子機のみ当該子機に設定された電子機器のリモコン機能を作動させる。制御テーブルに登録設定された電話番号と発呼側電話番号が一致しない子機は親機１との通信を終了する。親機１から子機への呼び出しは、実施例３と同様に、通常の通話呼び出しとは異なるリモコン機能作動のための無線信号を送信してもよいし、通常する着信における特定子機の呼び出しのための無線信号を送信してもよい。
【００４９】
このように構成すると、ユーザが自分の携帯電話から親機１に発呼すれば、子機１を使用してエアコンの電源をオン・オフ制御することができ、また、会社の携帯電話から親機１に発呼すれば、子機２を使用して浴室の制御をすることができる。また、ユーザが会社のデスクの電話機から親機１に発呼すれば、子機３を使用してエアコンの電源をオン・オフ制御することができる。
【００５０】
尚、親機が着信に応答した後に暗証番号の入力により子機を制御する第１、第２実施例に対し、実施例３及び実施例４においては、回線を接続しなくとも子機を制御することができる。即ち、回線が接続されない為に電話料金がかからないという顕著な効果を奏するものである。
【産業上の利用可能性】
【００５１】
以上、詳細に説明したように、本発明によれば、コードレス電話機の子機に家屋内に設置した各種の電子機器のリモコン機能を組み込み、電話回線を介して当該子機のリモコン機能を作動させることができ、各電子機器の制御を集中して行う集中制御ユニットなど特別の機器を設置することなく安価なホームオートメーションシステムを提供することができる。
【図面の簡単な説明】
【００５２】
【図１】本発明の実施例にかかるコードレス電話機を用いたホームオートメーションシステムの構成を示すシステム構成図である。
【図２】図１のホームオートメーションシステムにおけるコードレス電話機の外観を示す図である。
【図３】図１のホームオートメーションシステムにおけるコードレス電話機（親機）１の要部構成を示すブロック図である。
【図４】本発明の実施例１にかかる親機１の制御テーブルのデータ構成を示す図である。
【図５】本発明の実施例にかかる子機１（図１の２ａ）ないし子機３（図１の２ｃ）の要部構成を示すブロック図である。
【図６】子機にリモコン機能を設定する動作手順を示すフローチャートである。
【図７】本発明の実施例１にかかるコードレス電話機を用いたホームオートメーションシステムの動作手順を示すフローチャートである。
【図８】本発明にかかるホームオートメーションシステムの具体的な設置例を示す図である。
【図９】本発明の実施例２にかかるコードレス電話機を用いたホームオートメーションシステムを説明するための制御テーブルのデータ構成を示す図である。
【図１０】本発明の実施例３にかかるコードレス電話機を用いたホームオートメーションシステムを説明するための制御テーブルのデータ構成を示す図である。
【図１１】本発明の実施例４にかかるコードレス電話機を用いたホームオートメーションシステムを説明するための制御テーブルのデータ構成を示す図である。
【符号の説明】
【００５３】
１・・・・コードレス電話機（親機）
２ａ、２ｂ、２ｃ・・・子機１〜子機３
３・・・・公衆電話回線網
４・・・・携帯電話
５・・・・エアコン
６・・・・浴室
７・・・・テレビ
３０・・・制御テーブル
５２・・・制御テーブル
５３・・・発光部
５４・・・受光部
【図１】
2006222890.tif 000003
【図２】
2006222890.tif 000004
【図３】
2006222890.tif 000005
【図４】
2006222890.tif 000006
【図５】
2006222890.tif 000007
【図６】
2006222890.tif 000008
【図７】
2006222890.tif 000009
【図８】
2006222890.tif 000010
【図９】
2006222890.tif 000011
【図１０】
2006222890.tif 000012
【図１１】
2006222890.tif 000013